(57)【要約】本発明は、アナログ信号を処理する方法に関連する。本発明は、透かし信号をアナログ信号と組み合わせることによりアナログ信号にディジタル透かし信号を隠すことを含む。透かし信号は、アナログ信号を受信する装置により検出及び抽出されうる。方法は、アナログ信号に基づくディジタルコンテンツを暗号化する符号化装置によって鍵が抽出及び使用されうるよう、透かし信号に鍵を埋め込むことを含む。本発明はまた、かかる暗号化を行うようにされた符号化装置に関連する。
2006512804.tif 000002
【特許請求の範囲】
【請求項１】
アナログ信号を受信する装置によって電子透かし信号が抽出されうるよう前記アナログ信号に前記電子透かし信号が隠される、アナログ信号に対応する情報を処理する方法であって、
前記透かし信号に暗号鍵を埋め込み、前記暗号鍵は、前記アナログ信号に対応するディジタルに符号化された情報シーケンスを暗号化するのに暗号鍵を用いるよう符号化装置によって識別されることが意図されることを特徴とする方法。
【請求項２】
前記透かし信号は更に、前記符号化装置がどのように前記アナログ信号を処理することが意図されるかに関する命令を有する、請求項１記載の方法。
【請求項３】
前記透かし信号は更に、著作権情報を有する、請求項１又は２記載の方法。
【請求項４】
前記処理は、前記アナログ信号に対応するデータを記憶媒体上に格納する段階を更に有する、請求項１乃至３のうちいずれか一項記載の方法。
【請求項５】
前記処理は、前記アナログ信号に対応する信号をブロードキャストする段階を更に含む、請求項１乃至３のうちいずれか一項記載の方法。
【請求項６】
アナログ信号に対応する情報をディジタルに符号化する装置であって、
アナログ信号に隠された透かし信号を検出する透かし検出器と、前記透かし信号中の暗号鍵を識別する鍵検出器と、前記アナログ信号をディジタルに符号化するエンコーダと、前記暗号鍵を用いて前記ディジタルに符号化された信号を暗号化する暗号化ユニットとを有することを特徴とする装置。
【請求項７】
前記アナログ信号がどのように処理されるべきかに関して前記透かし信号から命令を取り出す手段を更に有する、請求項６記載の装置。
【請求項８】
前記ディジタル入力信号に対応するアナログ信号に埋め込まれた透かし信号が取り出されうるようディジタル入力信号を復号化するデコーダを更に有する、請求項６又は７記載の装置。
【請求項９】
前記暗号化ユニットは、透かし信号に鍵が埋め込まれていない符号化されたアナログ信号を暗号化するようレジデンシャル鍵を用いる、請求項６乃至８のうちいずれか一項記載の装置。
【請求項１０】
前記透かし検出器、前記鍵検出器、前記エンコーダ、及び前記暗号化ユニットは、単一の集積回路上に設けられる、請求項６乃至９のうちいずれか一項記載の装置。
【発明の詳細な説明】
【技術分野】
【０００１】
本発明は、アナログ信号に対応する情報を処理する方法であって、アナログ信号を受信する装置によって透かし信号が抽出されうるよう透かし信号がアナログ信号に隠されている方法に関する。
【背景技術】
【０００２】
上記方法は、特許文献１に記載されている。透かしは、使用制御情報を含みうる。ＭＰ３データがかかる信号から発生され、使用制御情報がデータへ転送されれば、かかるデータを受信する装置は、装置が使用が許可されているか否かを調べうる。許可されていなければ、装置は、例えば音楽を再生するのに情報を使用することを拒否しうる。従って、方法は、著作権で保護された素材の違法な複製を防止するのに使用されうる。
【特許文献１】米国特許第６，４４２，２８５号明細書
【発明の開示】
【発明が解決しようとする課題】
【０００３】
この方法に関連する問題は、使用制御情報のためにデータを調べないオーディオ／ビデオ装置が製造されうることである。かかる装置は、そうすることを許可されているか否かに関わらずデータを使用しうる。
【課題を解決するための手段】
【０００４】
本発明は、この問題を全体的に又は部分的に軽減することを目的とする。この目的は、透かし信号に暗号鍵を埋め込み、暗号鍵は、当該アナログ信号に対応するディジタルに符号化された情報シーケンスを暗号化するのに鍵を用いる暗号化装置によって識別されることが意図されることを特徴とする冒頭の段落に記載の方法によって達成される。従って、符号化装置は、アナログ信号に対応するディジタルデータを生成することができ、当該データは許可された装置によってのみ使用されうる。
【０００５】
望ましい実施例では、透かし信号は更に、符号化装置がどのようにアナログ信号を処理することが意図されるかに関する命令を有する。
【０００６】
他の望ましい実施例では、透かし信号は更に著作権情報を有する。
【０００７】
望ましくは、処理は更に、アナログ信号に対応するデータを記憶媒体上に格納すること、又はアナログ信号に対応する信号をブロードキャストすることを更に含む。このことは、アナログ信号が自由に送信されるときでさえも、著作権の利益の保護を可能とする。
【０００８】
他の面によれば、本発明は、アナログ信号に対応する情報をディジタル式に符号化する装置に関連する。この装置は、アナログ信号に隠された透かし信号を検出する透かし検出器と、透かし信号中の暗号鍵を識別する鍵検出器と、前記アナログ信号をディジタルに符号化するエンコーダと、暗号鍵を用いて前記ディジタルに符号化された信号を暗号化する暗号化ユニットとを有することを特徴とする。
【０００９】
望ましくは、装置は、アナログ信号がどのように処理されるべきかに関する透かし信号から命令を取り出す手段を更に有する。
【００１０】
望ましい実施例では、装置は、ディジタル入力信号を復号化するデコーダを更に有し、ディジタル入力信号に対応するアナログ信号に埋め込まれた透かし信号が取り出されうる。
【００１１】
望ましくは、暗号化ユニットは、透かし信号に鍵が埋め込まれていない符号化されたアナログ信号を暗号化するようレジデンシャル鍵を用いる。
【００１２】
望ましい実施例では、透かし検出器、鍵検出器、エンコーダ、及び暗号化ユニットは、単一の集積回路上に設けられる。このことは、圧縮された暗号化されていない情報を抽出するための装置での改竄を防止する。
【発明を実施するための最良の形態】
【００１３】
本発明の上述の及び他の面については、以下説明する実施例を参照することにより明らかとなろう。図１は、本発明による方法及び装置が使用されうる状況を示す図である。例えばオーディオ信号又はビデオ信号でありうるアナログ信号１０１は、結合ユニット１０３において透かし信号１０２と結合される。透かし信号は、著作権情報等のデータを含む。
【００１４】
一般的には、透かし信号は、低ビットレートのディジタル信号でありうるが、後に識別されえアナログ信号の意図される用途を妨げない任意の信号が使用されえ、即ち例えばオーディオ信号中の可聴でない信号が使用されうる。
【００１５】
アナログ信号は、任意の通常の方法で処理されえ、例えば、これはディジタル形式へ変換され、例えばＣＤ又はＤＶＤディスク１０５といった情報媒体上への格納処理１０４において格納されえ、又は、ブロードキャスト処理１０６においてブロードキャストされうる。いずれの場合も、アナログ信号は、続いてプレーヤ１０７内で再生される。プレーヤ１０７は、アナログ出力を生成する無線受信器、ＣＤプレーヤ等でありうる。これは、プレーヤ１０７からのアナログ出力信号を、ＭＰＥＧ２又はＨ２６４等のディジタル形式１０９へ変換する符号化ユニット１０８に接続されてもよく、又は、符号化ユニット１０８が一体化されていてもよい。かかる形式の情報は、非常に圧縮されており、コンピュータ通信媒体を介して容易に複製及び送信されうる。かかるエンコーダは、低い費用で利用可能であるが、それでもなお高い質の出力を生じさせる。本発明によれば、暗号鍵を透かし信号１０２に加えることが提案される。また、符号化ユニット１０８を、アナログ信号から鍵を取り出し、鍵を用いてディジタル形式出力１０９を暗号化するよう変更することも提案される。このようにして、アナログの不法な複製及び拡散はより効率的に妨害され、なぜならば鍵に対してアクセスしうるプレーヤのみがアナログ信号を再生しうるからである。
【００１６】
エンコーダからのディジタル出力は、望ましくは、条件付きアクセス（ＣＡ）環境で、即ち例えば家庭内の許可された装置が安全に情報を交換しうる領域で使用される。
【００１７】
低ビットレートのディジタル透かし信号が用いられるが、望ましくは、妥当な時間内で十分にパワフルな鍵を送信するために、８ビット／秒を超える。ＣＡ環境は、通常は６４ビットの強い鍵を必要とする。８ビット／秒の透かし信号が用いられると、暗号化は８秒後に始まることができ、これは殆どの用途において十分に高速である。いずれの場合も、透かし信号は、アナログ信号の通常の使用を妨害しないようなものであり、例えばビデオ信号は通常の方法で見ることができ透かし信号は可視でない。
【００１８】
鍵は、望ましくは、ＤＥＳ（Data  Encryption  Standard）又はＡＥＳ（Advanced  Encryption  Standard）といった標準と共に使用されるのに適したもの、又は、ＤＶＢ標準（Digital  Video  Broadcasting）と共に使用されるものでありうる。しかしながら、他の暗号化方法も考えられる。
【００１９】
図２は、本発明の実施例による符号化装置２００を示す図である。これは、アナログ信号をディジタル形式へ変換するＡ／Ｄ変換器２０８と、Ａ／Ｄ変換器２０８からの出力を符号化／圧縮する従来の種類のエンコーダ２０１とを有する。更に、暗号化装置は、アナログ入力に埋め込まれた透かしを取り出す透かし検出器２０２を有する。透かし検出器２０２は、アナログ入力の圧縮されていないディジタルバージョンに対して動作し、透かし信号に隠された暗号鍵を識別し、この鍵を暗号化ユニット２０３へ供給する手段を有する。暗号化ユニットは、エンコーダ２０１から符号化された出力を暗号化する鍵を用いる。この暗号化処理は、符号化装置２００からの出力を与える。望ましくは、暗号化装置はまた、鍵管理構造が、内容の復号（decryption）のための許可された装置によって必要とされる情報を出力する。
【００２０】
この出力は、自由に分配されうるが、例えば、鍵へのアクセスが可能なＣＡ領域内の許可された装置のみが使用しうる。更に、これらの装置は、内容が復号されている場合、暗号化のために正しい鍵が使用されていたことを確認するためにアナログ信号を調べ、なぜならば透かし鍵は依然としてアナログ信号内に存在するからである。透かし信号は依然として存在するため、アナログ内容の更なるブロードキャストもまた同じように保護されうる。
【００２１】
装置２００はまた、ディジタル入力を処理しうる。次に、デコーダ２０４は、透かし検出器２０２によって使用されうるよう圧縮されていないディジタル出力を生成するのに必要とされる。多重化器２０５、２０６は、ディジタル又はアナログのいずれの入力が処理されるべきかを選択するために使用される。
【００２２】
入力の中に透かし信号が存在しなければ、又は、かかる透かし信号が暗号化鍵情報を欠いているときは、暗号化ユニットは固定内部鍵２０７を使用しうる。
【００２３】
透かし検出器２０２は更に、符号化装置が入来情報をどのように処理すべきかに関する命令に対応する情報を透かし信号から取り出しうる。例えば、かかる命令は、出力がどのように暗号化されるべきか、即ち暗号化されるべきではないこと又は出力の部分が暗号化されるべきであることを含みうる。他の命令は、含まれた又はレジデンシャル鍵が使用されるべきである等を含みうる。
【００２４】
望ましくは、透かし検出器２０２、透かし検出器内の鍵検出器、エンコーダ２０１、及び暗号化ユニット２０３は、単一の集積回路２００として与えられる。これは、圧縮された、暗号化されていないデータを抽出するために符号化ユニットを用いた改竄を不可能とする。
【００２５】
概して、本発明は、アナログ信号を処理する方法に関連する。方法は、透かし信号をアナログ信号と組み合わせることによりアナログ信号にディジタル透かし信号を隠すことを含む。透かし信号は、アナログ信号を受信する装置により検出及び抽出されうる。方法は、鍵が、アナログ信号に基づいてディジタルコンテンツを暗号化する符号化装置によって抽出及び使用されうるよう、透かし信号に鍵を埋め込むことを含む。本発明はまた、かかる暗号化を実行するようにされた符号化装置に関する。
【００２６】
本発明は、望ましい実施例に関連して説明されたが、本発明はこの実施例に限られるものと考えられるべきではないことが理解されるべきである。本発明は、添付の特許請求の範囲において当業者によってなされうる全ての変更を含む。
【図面の簡単な説明】
【００２７】
【図１】本発明による方法及び装置が使用されうる状況を示す図である。
【図２】本発明の実施例による符号化装置を示す図である。
【図１】
2006512804.tif 000003
【図２】
2006512804.tif 000004
【国際調査報告】
2006512804.tif 000005
2006512804.tif 000006
2006512804.tif 000007